(57)【要約】【課題】扉体を開閉しても動きにくく、地震が起きた場合等でも設置体から飛び出す虞の少ない、使いやすく安全な収納庫を提供すること。【解決手段】開口部６に扉体22を設けた収納庫本体たる冷蔵庫本体２の底部２Ａに一対の前支持脚25と一対の後支持脚26から成る支持脚24を設け、前記一対の前支持脚25同士の間隔よりも一対の後支持脚26同士の間隔が広くなるように構成したものであり、設置体たるキャビネット27に収納庫たる冷蔵庫１を設置する際、キャビネット27の水平部たる底板29に形成された前支持脚位置決め部31に後支持脚26が嵌り込むことなく、冷蔵庫１を容易にキャビネット27の所定位置に設置することができる。【選択図】  図２
2004205123.tif 000002
【特許請求の範囲】
【請求項１】
収納庫本体と、この収納庫本体の開口部に取り付けられた扉体と、前記収納庫本体の底部に取り付けられた支持脚とを有する収納庫において、前記収納庫本体の底部前方に前支持脚を複数設け、前記収納庫本体の底部後方に後支持脚を複数設けると共に、前記前支持脚同士の幅方向の間隔と後支持脚同士の幅方向の間隔とが異なるように構成したこと特徴とする収納庫。
【請求項２】
収納庫本体と、この収納庫本体の開口部に取り付けられた扉体と、前記収納庫本体の底部に取り付けられた支持脚とを有する収納庫において、前記収納庫本体の底部前方に前支持脚を設け、前記収納庫本体の底部後方に後支持脚を設けると共に、前記前支持脚と後支持脚の数が異なるように構成したことを特徴とする収納庫。
【請求項３】
前記支持脚に対応して水平部に支持脚位置決め部を形成したことを特徴とする設置体。
【請求項４】
前記支持脚位置決め部を凹状に形成したことを特徴とする請求項３記載の設置体。
【請求項５】
収納庫本体と、この収納庫本体の開口部に取り付けられた扉体と、前記収納庫本体の底部に取り付けられた支持脚とを有する収納庫と、この収納庫を設置する設置体よりなる収納庫及び設置体において、前記収納庫本体の底部前方に前支持脚を設け、前記収納庫本体の底部後方に後支持脚を設けると共に、前記設置体の水平部に、少なくとも前記前支持脚に対応して凹状の前支持脚位置決め部を形成し、前記前支持脚位置決め部の大きさよりも後支持脚の大きさが実質的に大きくなるように構成したことを特徴とする収納庫及び設置体。
【請求項６】
収納庫本体と、この収納庫本体の開口部に取り付けられた扉体と、前記収納庫本体の底部に取り付けられた支持脚とを有する収納庫と、この収納庫を設置する設置体よりなる収納庫及び設置体において、前記収納庫本体の底部前方に前支持脚を設け、前記収納庫本体の底部後方に後支持脚を設けると共に、前記設置体の水平部に、少なくとも前記前支持脚に対応して凹状の前支持脚位置決め部を形成し、前記前支持脚位置決め部の形状と後支持脚の形状が異なるように構成したことを特徴とする収納庫及び設置体。
【発明の詳細な説明】
【０００１】
【発明が属する技術分野】
本発明は非携帯型の収納庫に関するものであり、特に病院やホテル等で用いられる冷蔵庫等の収納庫に関するものである。
【０００２】
【発明が解決しようとする課題】
従来、この種の収納庫としては、以下のようなものが知られている。
【０００３】
【特許文献１】
特開平７−１３３９７４号公報
【０００４】
【特許文献２】
特開２０００−８１２７５号公報
【０００５】
前者の発明には、冷温蔵庫本体（収納庫本体）と、この冷温蔵庫本体の開口部に取り付けられた扉（扉体）と、前記冷温蔵庫本体の底部に設けられたゴム足（支持脚）を有する冷温蔵庫が開示されている。そして、この冷温蔵庫のゴム足が、正面図に表れる前側の一対のゴム足と背面図に表れる後側の一対のゴム足とでほぼ同じ間隔で設けられている。また、後者の発明には、前面開口部に扉（扉体）が設けられた本体の底部に台脚が設けられた貯蔵庫が開示されている。そして、前記台脚のうち、前側の一対の台脚と後側の一対の台脚の間隔がほぼ同じに設けられている。
【０００６】
ところで、例えば病院の病室やホテルの客室等で用いられる比較的小型の冷蔵庫等の収納庫では、空間の節約や美観上の観点等から、キャビネット等の設置体に設置して用いられることが一般的である。しかしながら、このように冷蔵庫を設置体に設置して使用する場合、扉体の開閉等に伴って冷蔵庫自体が動いてしまう虞があるばかりでなく、地震が起こった場合等に冷蔵庫が設置体から飛び出してしまい、最悪の場合、設置体の前にいる人に怪我を負わせてしまう虞があった。
【０００７】
本発明は以上の問題点を解決し、扉体を開閉しても動きにくく、地震が起きた場合等でも設置体から飛び出す虞の少ない、使いやすく安全な収納庫を提供することを目的とする。
【０００８】
【課題を解決するための手段】
本発明の請求項１に記載の収納庫は、収納庫本体と、この収納庫本体の開口部に取り付けられた扉体と、前記収納庫本体の底部に取り付けられた支持脚とを有する収納庫において、前記収納庫本体の底部前方に前支持脚を複数設け、前記収納庫本体の底部後方に後支持脚を複数設けると共に、前記前支持脚同士の幅方向の間隔と後支持脚同士の幅方向の間隔とが異なるように構成したものである。
【０００９】
本発明は以上のように構成することにより、収納庫を設置体に載置する際に、収納庫の後支持脚が対応する支持脚位置決め部とは異なる支持脚位置決め部に嵌り込むことなく収納庫が設置される。
【００１０】
また、本発明の請求項２に記載の収納庫は、収納庫本体と、この収納庫本体の開口部に取り付けられた扉体と、前記収納庫本体の底部に取り付けられた支持脚とを有する収納庫において、前記収納庫本体の底部前方に前支持脚を設け、前記収納庫本体の底部後方に後支持脚を設けると共に、前記前支持脚と後支持脚の数が異なるように構成したものである。
【００１１】
本発明は以上のように構成することにより、収納庫を設置体に載置する際に、収納庫の後支持脚が対応する支持脚位置決め部とは異なる支持脚位置決め部に嵌り込むことなく収納庫が設置される。
【００１２】
また、本発明の請求項３に記載の設置体は、前記支持脚に対応して水平部に支持脚位置決め部を形成したものである。
【００１３】
本発明は以上のように構成することにより、収納庫を設置体に設置した際、この設置体の水平部に形成された支持脚位置決め部に収納庫の支持脚が嵌り込む。
【００１４】
また、本発明の請求項４に記載の収納庫は、前記支持脚位置決め部を凹状に形成したものである。
【００１５】
本発明は以上のように構成することにより、収納庫を設置体の水平部に沿って設置体の奥の方に摺動するように押し込むことで、支持脚位置決め部に支持脚が嵌り込むばかりでなく、収納庫を持ち上げない限り支持脚が支持脚位置決め部から外れない。
【００１６】
また、本発明の請求項５に記載の収納庫及び設置体は、収納庫本体と、この収納庫本体の開口部に取り付けられた扉体と、前記収納庫本体の底部に取り付けられた支持脚とを有する収納庫と、この収納庫を設置する設置体よりなる収納庫及び設置体において、前記収納庫本体の底部前方に前支持脚を設け、前記収納庫本体の底部後方に後支持脚を設けると共に、前記設置体の水平部に、少なくとも前記前支持脚に対応して凹状の前支持脚位置決め部を形成し、前記前支持脚位置決め部の大きさよりも後支持脚の大きさが実質的に大きくなるように構成したものである。
【００１７】
本発明は以上のように構成することにより、収納庫を設置体に設置する際に、後支持脚が前支持脚位置決め部上を通過したとしても、この前支持脚位置決め部に前支持脚が嵌り込むことがない。
【００１８】
更に、本発明の請求項６に記載の収納庫は、収納庫本体と、この収納庫本体の開口部に取り付けられた扉体と、前記収納庫本体の底部に取り付けられた支持脚とを有する収納庫と、この収納庫を設置する設置体よりなる収納庫及び設置体において、前記収納庫本体の底部前方に前支持脚を設け、前記収納庫本体の底部後方に後支持脚を設けると共に、前記設置体の水平部に、少なくとも前記前支持脚に対応して凹状の前支持脚位置決め部を形成し、前記前支持脚位置決め部の形状と後支持脚の形状が異なるように構成したものである。
【００１９】
本発明は以上のように構成することにより、収納庫を設置体に設置する際に、後支持脚が前支持脚位置決め部上を通過したとしても、この前支持脚位置決め部に前支持脚が嵌り込むことがない。
【００２０】
【発明の実施形態】
以下、本発明の第１の実施形態について、図１乃至図５に基づいて説明する。１は収納庫たる冷蔵庫である。この冷蔵庫１を構成する収納庫本体たる冷蔵庫本体２は、鋼製の外殻体３と合成樹脂製の内容器４との間に発泡ウレタン等の断熱材５を充填して形成されている。また、前記冷蔵庫本体２は、正面側に開口部６が形成されていると共に、背面側に後述する冷却機構10を取り付けるための取付孔７が形成されている。更に、前記内容器４の底部４Ａの奥には、凹状の容器位置決め部８が形成されていると共に、この容器位置決め部８には露受容器９が載置可能に構成されている。なお、前記容器位置決め部８は、前記内容器４の幅方向に形成されていると共に、前記露受容器９は幅方向に長く且つ前記容器位置決め部８の幅よりも短く形成されている。更に、前記露受容器９の後部上縁９Ａは、ほぼ水平に形成されている。
【００２１】
前記内容器４内には、冷却機構10が取り付けられている。この冷却機構10は、アルミニウム製の吸熱部11と、この吸熱部11に伝熱的に接触して固定されたアルミニウム製の第一の伝熱ブロック12と、この第一の伝熱ブロック12に吸熱側が伝熱的に接触した第一のサーモモジュール13と、この第一のサーモモジュール13の放熱側に伝熱的に接触したアルミニウム製の第二の伝熱ブロック14と、この第二の伝熱ブロックに吸熱側が伝熱的に接触した第二のサーモモジュール15と、この第二のサーモモジュール15の放熱側に伝熱的に接触した蒸発器16と、この蒸発器16内で気化した冷媒を排出する流出管17と、この流出管17と一体に形成され前記冷媒を凝縮させる凝縮器18と、この凝縮器18と一体に形成され前記凝縮した冷媒を前記蒸発器16に戻す流入管19とから構成されている。そして、前記第一の伝熱ブロック12の一部、第一のサーモモジュール13、第二の伝熱ブロック14、第二のサーモモジュール15、及び蒸発器16は、前記取付孔７内に配置されている。また、前記吸熱部11は、アルミニウム板を略逆Ｌ字状に折り曲げて形成されている。この吸熱部11の後部の板状部11Ａは、略垂直となるように取り付けられていると共に下端縁が略水平となるように形成されており、また、前記吸熱部11の上部11Ｂは、後方の板状部11Ａ側が僅かに低くなるように形成されている。また、前記板状部11Ａの直下に前記露受容器９が位置するように、前記位置決め部８が形成されていると共に、前記内容器４の下面から板状部11Ａの下端までの距離は、前記露受容器９の後部上縁９Ａの高さよりもやや長くなっている。更に、前記取付孔７と冷却機構10の間には、この冷却機構10を囲むように断熱体20が設けられている。
【００２２】
前記冷蔵庫本体２の正面側の開口部６には、枢動機構21を介して扉体22が開閉自在に取り付けられている。そして、この扉体22の前記冷蔵庫本体２側の外縁近傍には、冷蔵庫１内を密閉するマグネットパッキン23が設けられている。更に、前記冷蔵庫本体２の底部２Ａには、支持脚24が設けられている。この支持脚24は、高さが調節可能な前支持脚25と、高さが固定された後支持脚26とが、それぞれ左右に一対ずつ設けられている。なお、前記一対の前支持脚25同士の間隔Ｘは、前記一対の後支持脚26同士の間隔Ｙよりも狭く設けられていると共に、これらの前支持脚25及び後支持脚26は、前記冷蔵庫本体２に対して略左右対称となる位置に設けられている。
【００２３】
なお、上記冷蔵庫１は、病院やホテル等において、設置体たるキャビネット27に設置して使用される。このキャビネット27は、側板28と水平部たる底板29とを有しており、この底板29には、前記冷蔵庫本体２の底部２Ａに設けられた支持脚24に対応してこれを位置決めする凹状の支持脚位置決め部30が形成されている。そして、この支持脚位置決め部30は、前記前支持脚25に対応して設けられた前支持脚位置決め部31と、前記後支持脚26に対応して設けられた後支持脚位置決め部32とで構成されている。そして、これら前支持脚位置決め部31と後支持脚位置決め部32は、前記前記前支持脚25及び後支持脚26と同様に、前記前支持脚位置決め部31同士の間隔が前記後支持脚位置決め部32同士の間隔よりも狭く形成されている。
【００２４】
次に、本実施形態の作用について説明する。冷蔵庫１をキャビネット27に設置する場合、まず冷蔵庫１を把持してその後部をキャビネット27に挿入し、後支持脚26をキャビネット27の底板29の前部に載置する。そして、このまま冷蔵庫１をキャビネット27の奥の方に押し込むことで、冷蔵庫１がキャビネット27内に設置される。この際、この底板29の前部には前支持脚位置決め部31が形成されているが、この前支持脚位置決め部31同士の間隔は前記後支持脚26同士の間隔よりも狭く形成されているため、少なくとも、前記一対の後支持脚26が同時に前支持脚位置決め部31に嵌り込むことがない。このため、冷蔵庫１をキャビネット27の奥の方に押すことで一対の後支持脚26が前支持脚位置決め部31に嵌り込まずに通過して、後支持脚位置決め部32に嵌り込む。そして、前記前支持脚25も前支持脚位置決め部31に嵌り込む。仮に、一方の後支持脚26が一方の前支持脚位置決め部31に嵌り込んだとしても、他方の後支持脚26を支点として一方の後支持脚26側を持ち上げることで、一方の前支持脚位置決め部31から一方の後支持脚26を簡単に外すことができる。従って、このような構成にすることにより、冷蔵庫１をキャビネット27の所定の位置に簡単に設置することができる。そして、このように支持脚24を凹状の支持脚位置決め部30に嵌め込むことで、例えば地震が起きた場合など、冷蔵庫１がキャビネット27から飛び出してしまう虞を減ずることができるばかりでなく、扉体22の開閉に伴って冷蔵庫１が移動してしまう虞も減ずることができ、安全で使いやすいものにすることができる。更に、キャビネット27に対して冷蔵庫１を奥の方に押し込むことで、キャビネット27の所定位置に冷蔵庫１を設置することができるので、従来冷蔵庫１を持ち上げるために必要であった冷蔵庫１と側板28との間の空間を小さくすることができる。言い換えれば、その分大きな冷蔵庫１をキャビネット27内に設置することが可能となる。
【００２５】
以上のように本発明は、開口部６に扉体22を設けた収納庫本体たる冷蔵庫本体２の底部２Ａに一対の前支持脚25と一対の後支持脚26から成る支持脚24を設け、前記一対の前支持脚25同士の間隔よりも一対の後支持脚26同士の間隔が広くなるように構成したものであり、設置体たるキャビネット27に収納庫たる冷蔵庫１を設置する際、キャビネット27の水平部たる底板29に形成された前支持脚位置決め部31に後支持脚26が嵌り込むことなく、冷蔵庫１を容易にキャビネット27の所定位置に設置することができる。
【００２６】
また、本発明は、前記支持脚位置決め部を凹状に形成したことにより、冷蔵庫１の扉体22を開閉することに伴って冷蔵庫１が動くことがなく、また地震等が起こったとしても、冷蔵庫１がキャビネット27から飛び出してしまう虞を減ずることができる。
【００２７】
次に、本発明の第二の実施形態について、図６乃至図７に基づいて説明する。なお、上記実施形態と共通する部分については同一の符号を付し、その説明を省略する。冷蔵庫１の冷蔵庫本体２の底部２Ａには、支持脚41が設けられている。この支持脚41は、高さが調節可能な一対の前支持脚42と、高さが固定された一つの後支持脚43とが設けられている。なお、前記一対の前支持脚42は冷蔵庫本体２の底部２Ａの前方の両側部近傍に設けられていると共に、後支持脚43は冷蔵庫本体２の底部２Ａの後方の略中央に設けられている。なお、上記冷蔵庫１は、病院やホテル等において、設置体たるキャビネット27に設置して使用される。このキャビネット27は、側板28と水平部たる底板29とを有しており、この底板29には、前記冷蔵庫本体２の底部２Ａに設けられた支持脚41に対応してこれを位置決めする凹状の支持脚位置決め部44が形成されている。そして、この支持脚位置決め部44は、前記前支持脚42に対応して設けられた前支持脚位置決め部45と、前記後支持脚43に対応して設けられた後支持脚位置決め部46とで構成されている。
【００２８】
次に、本実施形態の作用について説明する。冷蔵庫１をキャビネット27に設置する場合、まず冷蔵庫１を把持してその後部をキャビネット27に挿入し、後支持脚43をキャビネット27の底板29の前部に載置する。そして、このまま冷蔵庫１をキャビネット27の奥の方に押し込むことで、冷蔵庫１がキャビネット27内に設置される。この際、この底板29の前部には前支持脚位置決め部45が形成されているが、この前支持脚位置決め部45は間隔を開けて一対形成されているため、前記後支持脚43が前記前支持脚位置決め部45同士の間を通るように冷蔵庫１をキャビネット27の奥の方に押し込むことで、前記後支持脚43が前支持脚位置決め部45に嵌り込まずに通過して、後支持脚位置決め部46に嵌り込む。そして、前記前支持脚42も前支持脚位置決め部45に嵌り込む。従って、このような構成にすることにより、冷蔵庫１をキャビネット27の所定の位置に簡単に設置することができる。そして、このように支持脚41を凹状の支持脚位置決め部44に嵌め込むことで、例えば地震が起きた場合など、冷蔵庫１がキャビネット27から飛び出してしまう虞を減ずることができるばかりでなく、扉体22の開閉に伴って冷蔵庫１が移動してしまう虞も減ずることができ、安全で使いやすいものにすることができる。更に、キャビネット27に対して冷蔵庫１を奥の方に押し込むことで、キャビネット27の所定位置に冷蔵庫１を設置することができるので、従来冷蔵庫１を持ち上げるために必要であった冷蔵庫１と側板28との間の空間を小さくすることができる。言い換えれば、その分大きな冷蔵庫１をキャビネット27内に設置することが可能となる。
【００２９】
以上のように本発明は、開口部６に扉体22を設けた収納庫本体たる冷蔵庫本体２の底部２Ａに一対の前支持脚42と一つの後支持脚43から成る支持脚41を設けると共に、前記一対の前支持脚42を底部２Ａの前方の両側部近傍に設け、前記後支持脚43を底部２Ａの後方の略中央に設けたものであり、設置体たるキャビネット27に収納庫たる冷蔵庫１を設置する際、キャビネット27の水平部たる底板29に形成された前支持脚位置決め部45に後支持脚43が嵌り込むことなく、冷蔵庫１を容易にキャビネット27の所定位置に設置することができる。
【００３０】
また、本発明は、前記支持脚位置決め部を凹状に形成したことにより、冷蔵庫１の扉体22を開閉することに伴って冷蔵庫１が動くことがなく、また地震等が起こったとしても、冷蔵庫１がキャビネット27から飛び出してしまう虞を減ずることができる。
【００３１】
次に、本発明の第三の実施形態について、図８乃至図９に基づいて説明する。なお、上記実施形態と共通する部分については同一の符号を付し、その説明を省略する。冷蔵庫１の冷蔵庫本体２の底部２Ａには、支持脚51が設けられている。この支持脚51は、高さが調節可能な一対の前支持脚52と、高さが固定された一対の後支持脚53とが設けられている。なお、前記一対の前支持脚52は冷蔵庫本体２の底部２Ａの前方の両側部近傍に設けられていると共に、後支持脚53は冷蔵庫本体２の底部２Ａの後方の両側部近傍に設けられている。また、前記前支持脚52及び後支持脚53は、平面形状が略円形に形成されていると共に、後支持脚53の径が前支持脚52の径よりも大きく形成されている。なお、上記冷蔵庫１は、病院やホテル等において、設置体たるキャビネット27に設置して使用される。このキャビネット27は、側板28と水平部たる底板29とを有しており、この底板29には、前記冷蔵庫本体２の底部２Ａに設けられた支持脚51に対応してこれを位置決めする凹状の支持脚位置決め部54が形成されている。そして、この支持脚位置決め部54は、前記前支持脚52に対応して設けられた前支持脚位置決め部55と、前記後支持脚53に対応して設けられた後支持脚位置決め部56とで構成されている。また、前記前支持脚位置決め部55及び後支持脚位置決め部56は、平面形状が略円形に形成されていると共に、後支持脚位置決め部56の径が前支持脚位置決め部55の径よりも大きく形成されている。更に、前記前支持脚位置決め部55の径は、後支持脚53の径よりも小さく形成されている。
【００３２】
次に、本実施形態の作用について説明する。冷蔵庫１をキャビネット27に設置する場合、まず冷蔵庫１を把持してその後部をキャビネット27に挿入し、後支持脚53をキャビネット27の底板29の前部に載置する。そして、このまま冷蔵庫１をキャビネット27の奥の方に押し込むことで、冷蔵庫１がキャビネット27内に設置される。この際、この底板29の前部には前支持脚位置決め部55が形成されているが、この前支持脚位置決め部55の径は後支持脚53の径よりも小さく形成されているため、この後支持脚53が前支持脚位置決め部55に嵌り込まずに通過して、後支持脚位置決め部56に嵌り込む。そして、前記前支持脚52も前支持脚位置決め部55に嵌り込む。従って、このような構成にすることにより、冷蔵庫１をキャビネット27の所定の位置に簡単に設置することができる。そして、このように支持脚51を凹状の支持脚位置決め部54に嵌め込むことで、例えば地震が起きた場合など、冷蔵庫１がキャビネット27から飛び出してしまう虞を減ずることができるばかりでなく、扉体22の開閉に伴って冷蔵庫１が移動してしまう虞も減ずることができ、安全で使いやすいものにすることができる。更に、キャビネット27に対して冷蔵庫１を奥の方に押し込むことで、キャビネット27の所定位置に冷蔵庫１を設置することができるので、従来冷蔵庫１を持ち上げるために必要であった冷蔵庫１と側板28との間の空間を小さくすることができる。言い換えれば、その分大きな冷蔵庫１をキャビネット27内に設置することが可能となる。
【００３３】
以上のように本発明は、開口部６に扉体22を設けた収納庫本体たる冷蔵庫本体２の底部２Ａに一対の前支持脚52と一対の後支持脚53から成る支持脚51を設け、これらの前支持脚52及び後支持脚53に対応して、設置体たるキャビネット27の水平部たる底板29に前支持脚位置決め部55及び後支持脚位置決め部56を形成すると共に、前記前支持脚位置決め部55よりも後支持脚53を大きく形成したものであり、収納庫たる冷蔵庫１を設置する際、前記前支持脚位置決め部55に後支持脚53が嵌り込むことなく、冷蔵庫１を容易にキャビネット27の所定位置に設置することができるばかりでなく、前記支持脚位置決め部を凹状に形成したことにより、冷蔵庫１の扉体22を開閉することに伴って冷蔵庫１が動くことがなく、また地震等が起こったとしても、冷蔵庫１がキャビネット27から飛び出してしまう虞を減ずることができる。
【００３４】
次に、本発明の第四の実施形態について、図１０乃至図１１に基づいて説明する。なお、上記実施形態と共通する部分については同一の符号を付し、その説明を省略する。冷蔵庫１の冷蔵庫本体２の底部２Ａには、支持脚61が設けられている。この支持脚61は、高さが調節可能な一対の前支持脚62と、高さが固定された一対の後支持脚63とが設けられている。なお、前記一対の前支持脚62は冷蔵庫本体２の底部２Ａの前方の両側部近傍に設けられていると共に、後支持脚63は冷蔵庫本体２の底部２Ａの後方の両側部近傍に設けられている。また、前記前支持脚62は底面が略円形に形成されていると共に、前記後支持脚63は底面が略方形に形成されている。なお、上記冷蔵庫１は、病院やホテル等において、設置体たるキャビネット27に設置して使用される。このキャビネット27は、側板28と水平部たる底板29とを有しており、この底板29には、前記冷蔵庫本体２の底部２Ａに設けられた支持脚61に対応してこれを位置決めする凹状の支持脚位置決め部64が形成されている。そして、この支持脚位置決め部64は、前記前支持脚62に対応して設けられた前支持脚位置決め部65と、前記後支持脚63に対応して設けられた後支持脚位置決め部66とで構成されている。なお、前記前支持脚位置決め部65の形状は、前記前支持脚62に合わせて、この前記前支持脚62よりもやや大きな略円形に形成されている。更に、この前支持脚位置決め部65の直径は、前記略方形の後支持脚63の対角線の長さよりも短く形成されている。
【００３５】
次に、本実施形態の作用について説明する。冷蔵庫１をキャビネット27に設置する場合、まず冷蔵庫１を把持してその後部をキャビネット27に挿入し、後支持脚63をキャビネット27の底板29の前部に載置する。そして、このまま冷蔵庫１をキャビネット27の奥の方に押し込むことで、冷蔵庫１がキャビネット27内に設置される。この際、この底板29の前部には前支持脚位置決め部65が形成されているが、この前支持脚位置決め部65は前支持脚62に合わせて略円形に形成されていると共に、前記前支持脚位置決め部65の直径が、略方形の前記後支持脚63の対角線よりも短く形成されているため、前記後支持脚63が前支持脚位置決め部65に嵌り込まずに通過して、前記後支持脚位置決め部66に嵌り込む。そして、前記前支持脚62も前支持脚位置決め部65に嵌り込む。従って、このような構成にすることにより、冷蔵庫１をキャビネット27の所定の位置に簡単に設置することができる。そして、このように支持脚61を凹状の支持脚位置決め部64に嵌め込むことで、例えば地震が起きた場合など、冷蔵庫１がキャビネット27から飛び出してしまう虞を減ずることができるばかりでなく、扉体22の開閉に伴って冷蔵庫１が移動してしまう虞も減ずることができ、安全で使いやすいものにすることができる。更に、キャビネット27に対して冷蔵庫１を奥の方に押し込むことで、キャビネット27の所定位置に冷蔵庫１を設置することができるので、従来冷蔵庫１を持ち上げるために必要であった冷蔵庫１と側板28との間の空間を小さくすることができる。言い換えれば、その分大きな冷蔵庫１をキャビネット27内に設置することが可能となる。
【００３６】
以上のように本発明は、開口部６に扉体22を設けた収納庫本体たる冷蔵庫本体２の底部２Ａに一対の前支持脚62と一対の後支持脚63から成る支持脚61を設け、これらの前支持脚62及び後支持脚63に対応して、設置体たるキャビネット27の水平部たる底板29に前支持脚位置決め部65及び後支持脚位置決め部66を形成すると共に、前記前支持脚位置決め部65を略円形に、前記後支持脚63を略方形に形成したものであり、収納庫たる冷蔵庫１を設置する際、前記前支持脚位置決め部65に後支持脚63が嵌り込むことなく、冷蔵庫１を容易にキャビネット27の所定位置に設置することができるばかりでなく、前記支持脚位置決め部を凹状に形成したことにより、冷蔵庫１の扉体22を開閉することに伴って冷蔵庫１が動くことがなく、また地震等が起こったとしても、冷蔵庫１がキャビネット27から飛び出してしまう虞を減ずることができる。
【００３７】
なお、本発明は以上の実施形態に限定されることがなく、発明の要旨の範囲内で種々の変形が可能である。例えば、上記第一の実施形態では、前支持脚同士の間隔が後支持脚同士の間隔よりも狭く形成されているが、逆に前支持脚同士の間隔が後支持脚同士の間隔よりも広く形成されるようにしても良い。また、上記第二の実施形態では、前支持脚を一対と後支持脚を一つ設けたが、これ以外の数の支持脚を設けても良く、更に前支持脚の数を後支持脚の数よりも少なくしても良い。また、上記第四の実施形態では、前支持脚位置決め部を略円形に、後支持脚を略方形に形成したが、これ以外の形状に形成しても良い。更に、上記各実施形態では、後支持脚位置決め部が形成されているが、これは必ずしも必要ではなく、前支持脚位置決め部だけで収納庫を位置決めするように構成しても良い。
【００３８】
【発明の効果】
本発明の請求項１に記載の収納庫は、収納庫本体と、この収納庫本体の開口部に取り付けられた扉体と、前記収納庫本体の底部に取り付けられた支持脚とを有する収納庫において、前記収納庫本体の底部前方に前支持脚を複数設け、前記収納庫本体の底部後方に後支持脚を複数設けると共に、前記前支持脚同士の幅方向の間隔と後支持脚同士の幅方向の間隔とが異なるように構成したものであり、収納庫を設置体に載置する際に、収納庫の後支持脚が対応する支持脚位置決め部とは異なる支持脚位置決め部に嵌り込むことなく収納庫が設置されるので、前記設置体の正しい位置に収納庫を簡単に設置することができる。
【００３９】
また、本発明の請求項２に記載の収納庫は、収納庫本体と、この収納庫本体の開口部に取り付けられた扉体と、前記収納庫本体の底部に取り付けられた支持脚とを有する収納庫において、前記収納庫本体の底部前方に前支持脚を設け、前記収納庫本体の底部後方に後支持脚を設けると共に、前記前支持脚と後支持脚の数が異なるように構成したものであり、収納庫を設置体に載置する際に、収納庫の後支持脚が対応する支持脚位置決め部とは異なる支持脚位置決め部に嵌り込むことなく収納庫が設置されるので、前記設置体の正しい位置に収納庫を更に簡単に設置することができる。
【００４０】
また、本発明の請求項３に記載の設置体は、前記支持脚に対応して水平部に支持脚位置決め部を形成したものであり、収納庫を設置体に設置した際、この設置体の水平部に形成された支持脚位置決め部に収納庫の支持脚が嵌り込むので、前記設置体の水平部の正しい位置に収納庫を簡単に設置することができる。
【００４１】
また、本発明の請求項４に記載の収納庫は、前記支持脚位置決め部を凹状に形成したものであり、収納庫を設置体の水平部に沿って設置体の奥の方に摺動するように押し込むことで、支持脚位置決め部に支持脚が嵌り込むばかりでなく、収納庫を持ち上げない限り支持脚が支持脚位置決め部から外れないので、設置された収納庫の扉体の開閉又は地震等によって収納庫が動かないため、使いやすく安全にすることができる。
【００４２】
また、本発明の請求項５に記載の収納庫及び設置体は、収納庫本体と、この収納庫本体の開口部に取り付けられた扉体と、前記収納庫本体の底部に取り付けられた支持脚とを有する収納庫と、この収納庫を設置する設置体よりなる収納庫及び設置体において、前記収納庫本体の底部前方に前支持脚を設け、前記収納庫本体の底部後方に後支持脚を設けると共に、前記設置体の水平部に、少なくとも前記前支持脚に対応して凹状の前支持脚位置決め部を形成し、前記前支持脚位置決め部の大きさよりも後支持脚の大きさが実質的に大きくなるように構成したものであり、収納庫を設置体に設置する際に、後支持脚が前支持脚位置決め部上を通過したとしても、この前支持脚位置決め部に前支持脚が嵌り込むことがないので、設置体の水平部の正しい位置に収納庫を更に簡単に設置することができるばかりでなく、扉体の開閉又は地震等によって収納庫が動かないため、使いやすく安全にすることができる。
【００４３】
更に、本発明の請求項６に記載の収納庫は、収納庫本体と、この収納庫本体の開口部に取り付けられた扉体と、前記収納庫本体の底部に取り付けられた支持脚とを有する収納庫と、この収納庫を設置する設置体よりなる収納庫及び設置体において、前記収納庫本体の底部前方に前支持脚を設け、前記収納庫本体の底部後方に後支持脚を設けると共に、前記設置体の水平部に、少なくとも前記前支持脚に対応して凹状の前支持脚位置決め部を形成し、前記前支持脚位置決め部の形状と後支持脚の形状が異なるように構成したものであり、収納庫を設置体に設置する際に、後支持脚が前支持脚位置決め部上を通過したとしても、この前支持脚位置決め部に前支持脚が嵌り込むことがないので、設置体の水平部の正しい位置に収納庫を更に簡単に設置することができるばかりでなく、扉体の開閉又は地震等によって収納庫が動かないため、使いやすく安全にすることができる。
【図面の簡単な説明】
【図１】本発明の第一の実施形態を示す収納庫の正面図である。
【図２】同上、底面図である。
【図３】同上、Ａ−Ａ’断面図である。
【図４】同上、キャビネット底板の平面図である。
【図５】同上、キャビネットに収納庫を収納した状態の正面図である。
【図６】本発明の第二の実施形態を示す収納庫の底面図である。
【図７】同上、キャビネット底板の平面図である。
【図８】本発明の第三の実施形態を示す収納庫の底面図である。
【図９】同上、キャビネット底板の平面図である。
【図１０】本発明の第四の実施形態を示す収納庫の底面図である。
【図１１】同上、キャビネット底板の平面図である。
【符号の説明】
１  冷蔵庫（収納庫）
２  冷蔵庫本体（収納庫本体）
２Ａ  底部
６  開口部
22  扉体
24，41，51，61  支持脚
25，42，52，62  前支持脚
26，43，53，63  後支持脚
27  キャビネット（設置体）
29  底板（水平部）
30，44，54，64  支持脚位置決め部
31，45，55，65  前支持脚位置決め部
32，46，56，66  後支持脚位置決め部
【図１】
2004205123.tif 000003
【図２】
2004205123.tif 000004
【図３】
2004205123.tif 000005
【図４】
2004205123.tif 000006
【図５】
2004205123.tif 000007
【図６】
2004205123.tif 000008
【図７】
2004205123.tif 000009
【図８】
2004205123.tif 000010
【図９】
2004205123.tif 000011
【図１０】
2004205123.tif 000012
【図１１】
2004205123.tif 000013